(57)【要約】【課題】現在市販されている米は、キログラム単位で販売に供されているため、購入した後、実際に家庭において炊飯される米の分量である合単位に量り直す必要があるとともに、米を、購入した時の状態を維持しつつ、保管することが困難であるので、計量の手間を省くことができるとともに、米の鮮度を保ち、炊飯時に、米の食味が落ちないように密封保存することができる米パックを提供する。【解決手段】一度の食事において、米を炊く分量である１合、２合という具合に、合単位で米を密封するとともに、窒素ガス等を米パック内に封入したり、米パック内を真空状態にしたりする。さらに、１パック単体のみだけでなく、１パックを数個連結して構成する。【選択図】図１
2004065211.tif 000002
【特許請求の範囲】
【請求項１】
米を密封して包み込む米パックであって、
米が、合の単位量によって密封保存されている
ことを特徴とする米パック。
【請求項２】
前記米パックが複数連ねられ、分離可能な状態に、連結されている
ことを特徴とする請求項１記載の米パック。
【請求項３】
前記複数の米パックが、切断によって分離可能な状態に、連結されている
ことを特徴とする請求項２記載の米パック。
【請求項４】
前記連結されている複数の米パックが、渦巻状に配列されている
ことを特徴とする請求項２または３記載の米パック。
【請求項５】
前記複数の米パックは、一の米パックの表面と、他の米パックの背面とが貼り合わされて、連結されている
ことを特徴とする請求項２記載の米パック。
【請求項６】
前記貼り合わされて連結されている複数の米パックが、粘着剤によって貼り合わされている
ことを特徴とする請求項２または５記載の米パック。
【請求項７】
前記連結されている複数の米パックが、ロール芯に巻きつけられて配列されている
ことを特徴とする請求項２または３記載の米パック。
【請求項８】
前記ロール芯に巻きつけられて配列されている複数の米パックが、
前記ロール芯の両端を支持するホルダに備えられた切断部によって、切断される
ことを特徴とする請求項２、３または７記載の米パック。
【請求項９】
前記米パックは、米パック内が、真空状態とされる
ことを特徴とする請求項１〜８のいずれか１項に記載の米パック。
【請求項１０】
前記米パックは、米パック内に、米の鮮度を保つ気体が、封入されている
ことを特徴とする請求項１〜８のいずれか１項に記載の米パック。
【請求項１１】
前記気体が、窒素ガスである
ことを特徴とする請求項１０記載の米パック。
【請求項１２】
前記密封保存される米が、無洗米である
ことを特徴とする請求項１〜１１のいずれか１項に記載の米パック。
【請求項１３】
請求項１記載の米パックを製造する
ことを特徴とする米パック製造装置。
【請求項１４】
米を密封して包み込む米パックを製造する方法であって、
米を合の単位量によって、パックに充填する第１ステップと、
前記米を充填したパックを密封する第２ステップとを含む
ことを特徴とする米パック製造方法。
【請求項１５】
前記米パック製造方法は、さらに、
前記密封したパックを、分離可能な状態に連結する第３ステップを含む
ことを特徴とする請求項１４記載の米パック製造方法。
【請求項１６】
前記第１ステップは、さらに、
米の鮮度を保つ気体を、パックに充填する
ことを特徴とする請求項１４または１５記載の米パック製造方法。
【発明の詳細な説明】
【０００１】
【発明の属する技術分野】
本発明は、販売に供される米を密封して、保存する米用パックに関するものである。
【０００２】
【従来の技術】
従来、市販されている米は、５キログラム、１０キログラムという具合に、キログラム単位で袋詰めされて、販売に供されており、５キログラムの米を封入する販売形態が多い。ここで、５キログラムの米を、２〜３日の食事によって、全て消費することは、一般家庭において稀であることから、購入者は、米を購入した後、米櫃に移し替えて、炊飯するだけの米をその都度取り出して、炊飯を行なうことが一般的である。
【０００３】
このような購入した米を米櫃に移し替えるという手間を省いて、開封後に再度米を密封して保存できるように、密封手段を施して、開閉自在とした米袋が存在し（実登３０３６０１７）、米袋から、必要量の米を取り出して、炊飯を行なう場合もある。
【０００４】
【発明が解決しようとする課題】
しかしながら、古来より、米の量は、重さを示すキログラムやトン等の単位で把握されるものではなく、容積を示す合や斗等の単位で把握されており、実際に家庭において炊飯される際の米は、１合炊き、２合炊き、３合炊きというように、合単位の分量で炊飯されるので、現在市販されている米の分量単位であるキログラム単位と合致していない。そのため、米を購入した後、米櫃や米袋から取り出す際に、計量カップ等で量り直して取り出さなければならないという問題がある。
【０００５】
また、たとえ米袋に密封手段を施していても、一度、米袋を開封してしまうと、米を取り出す際に、米袋内の米が外気に触れることを避けることができない。そのため、米袋を開封してから、米を使い切るまでに米の鮮度を落としてしまったり、害虫を招いたりして、保存が十分といえず、炊飯時に、米の食味を落としてしまうという問題もある。
【０００６】
そこで、本発明は、かかる問題点を鑑みなされたものであり、実際に炊飯する分量である合の単位ごとに米を購入することができ、計量の手間を省くことができる米パックを提供することを目的とする。さらに、米の鮮度を保ち、防湿・防虫を確保して、炊飯時に、米の食味が落ちないように密封保存することができる米パックを提供することをも目的とする。
【０００７】
【課題を解決するための手段】
上記の問題を解決するために、本発明に係る合単位米パックは、次のような技術的手段を講じている。
【０００８】
すなわち、一度の食事において米を炊く量である１合、２合、３合というように、合単位で米を密封する。そして、１パック単体のみだけでなく、１パックをいくつか連結させて、例えば、１人１０食分や、３人３食分等のように連結させる。米パック同士の連結は、はさみ等の切断具を用いて、使用時に分離させることとしたり、ミシンカットによる連結として、使用時に素手で分離させることができるようにしたり、米パック同士を貼り合わせて、使用時に剥がして分離させることができるようにしたりする。
【０００９】
さらに、密封時に、窒素ガスの米パック内封入等、米の鮮度を保つ気体を、米と一緒に入れたり、米パック内を真空状態にして米を封入したりする。
【００１０】
また、本発明は、上記の米パックを製造する方法として実現することもできる。すなわち、米を密封して包み込む米パックを製造する方法であって、米を合の単位量によって、パックに充填する第１ステップと、前記米を充填したパックを密封する第２ステップとを含むことを特徴とする。
【００１１】
【発明の実施の形態】
以下、本発明の実施の形態について図面を用いて詳細に説明する。
図１は、本発明に係る合単位米パックの全体斜視図である。
【００１２】
本発明に係る合単位米パックは、複数の米パック１が、米パック連結部２を介して、連結され、連結米パック５という形態となって構成され、製袋充填機等の包装機械を用いて形成される。
ここにいう製袋充填機とは、熱接着性を備えるプラスチックフィルム等の包装材料を用いて、袋を製造する工程中に米を充填し、口を熱シールで封をする機械である。この製袋充填機は、ラムネ等の菓子類を密封包装し、連結した形態で袋を製造する機械を流用し、米を合単位で充填することができる仕様にして用いることとしている。
【００１３】
そして、各米パック同士は、分離可能な状態で連結されており、米パック連結部２の略中央に設けられた連結米パック分離線３を、はさみ等の切断具４を用いて切断することによって、米パック１と連結米パック５とが分離されるようになっている。
【００１４】
米パック１は、米を合単位で密封して保存する袋状の容器であり、水平断面が楕円状の筒体とされ、ナイロン、リニヤー低密度ポリエチレン等の強靭性、防湿性に優れたプラスチックフィルムを材料として形成される。
【００１５】
米パック連結部２は、一の米パック１と他の米パック１とを連結する部材であり、薄い板状とされる。米パック連結部２の両端部は、夫々が一の米パック１の端部と他の米パック１の端部と繋げられ、米パック連結部２の中央部は、連結米パック分離線３が設けられる。ここで、連結米パック分離線３は、一の米パック１と連結米パック５とを分離するための裂開線をいう。なお、この米パック連結部２は、ナイロン、ポリエチレン等のプラスチックフィルムを材料として形成される。
【００１６】
切断具４は、はさみ、カッター等であり、連結米パック分離線３を切断するために用いられる。
【００１７】
連結米パック５は、米パック連結部２を介して連結された複数の米パック１の集合体であり、収納スペースを小さくするために、例えば、たまご形に巻かれた状態で、流通市場に置かれたり、販売に供されたり、家庭で保管されたりする。
【００１８】
図２は、本発明に係る合単位米パックにおける米パック１の正面上方からの斜視図である。
この米パック１は、上述のように、米を合単位で密封して保存する袋状の容器であり、水平断面が楕円状の筒体とされ、ナイロン等のプラスチックフィルムを材料として形成される。そして、この米パック１は、側面に米パック開封口１１を備え、表面に米パック開封線１２と米パック残数表示１３とを備え、内部に米１４と窒素ガス１５とを内包する。なお、図２は、連結米パック５から米パック１を切断分離して、正面上方から斜視した図であるため、米パック１の両端には、連結米パック分離線３に沿って切断された後の米パック連結部２が残存することとなる。
【００１９】
米パック開封口１１は、米パック１の開封を容易にするための切り込み口であり、米パック１の上部側面に設けられる。なお、図２において、米パック開封口１１は、米パックの上部側面両側に、頂上部が内向して向い合っている三角形状として設けられているが、上部側面片側に設けてもよく、一の切り込み線であってもよい。
【００２０】
米パック開封線１２は、米パック１を開封するための切断線を誘導する線であり、米パック１の上部表面に設けられる。
【００２１】
米パック残数表示１３は、連結米パック５から一の米パック１切断した後に、連結米パック５を構成する他の米パック１の個数を示す表示であり、米パック１の表面であって、使用者が視認できる箇所に設けられる。
【００２２】
米１４は、米パック１に、合単位で内包される被包装物である。米１４として、例えば、米とぎを不要とする無洗米を用いる。
【００２３】
窒素ガス１５は、米１４と共に、米パック１に封入され、米の鮮度を保つ気体である。
【００２４】
このように構成された米パック１は、米１４を合単位の量で、米パック内に封入することができる。例えば、１人住まいをする者用に、１人の１食分として、１合の分量の米１４を米パック内に封入したり、３人家族用に、３人の１食分として、３合の分量の米１４を米パック内に封入したり、家庭の事情により変化する炊飯形態に応じた様々な分量で、米１４を封入することが可能である。
【００２５】
そして、この米パック１は、米パック１の上部側面に設けられた米パック開封口１１から、米パック１の上部表面に設けられた米パック開封線１２に沿って、切断されることによって、使用者が、米パック１の開封作業を容易にできるようにされている。
【００２６】
また、米パック１の表面であって、使用者が視認できる箇所には、連結米パック５の米パック残数表示１３が設けられることによって、使用者は、残りの炊飯可能な分量を判断することができる。
【００２７】
さらに、米パック１は、米１４と一緒に、窒素ガス１５等の封入というガス充填包装が施されることによって、米１４の食味が落ちないように、米１４を保存することができる。
【００２８】
図３は、本発明に係る合単位米パックを用いて、実際に炊飯を行なう作業図である。
【００２９】
図３（ａ）は、米パック１の切断分離作業と開封作業とを表す図である。
まず、連結米パック５から一の米パック１を、連結米パック分離線３に沿って、切断して分離する。ここでは、はさみ等の切断具４を用いて切断することとする。次に、連結米パック５と分離されて、使用に供される米パック１の上部側面に設けられた米パック開封口１１から、米パック１の上部表面に設けられた米パック開封線１２に沿って、切断具４を用いて切断し、使用に供される米パック１を開封する。
【００３０】
図３（ｂ）は、開封した米パック１から、米１４を炊飯器１６内に移し、炊飯を行なう作業図である。
前記切断分離作業と前記開封作業を経て、開封された米パック１が、下方に傾斜され、被包装物たる米１４が落下して、炊飯器１６内の釜に移される。ここで、米１４が無洗米である場合には、米とぎが不要であるため、釜に予め水を入れておくことによって、米１４が釜に移されると、すぐに炊飯を開始することができる。
【００３１】
なお、本実施の形態では、一の米パック１と、連結米パック５とを、切断して分離するために、切断具４を用いることとしているが、ミシンカットによる連結として、素手で切断して分離することができるようにしてもよい。
【００３２】
また、一の米パック１を、米パック開封口１１から米パック開封線１２に沿って切断して開封するために、切断具４を用いることとしているが、同様に、素手によって切断してもよい。
【００３３】
（変形例）
以下、本実施の形態に係る合単位米パックの変形例を示す。
図４は、第１の変形例の米パック２１の構成を示す斜視図である。
この米パック２１は、米を合単位で密封して保存する袋状の容器であり、ナイロン等のプラスチックフィルムを材料として形成される点で、前述の米パック１と共通するが、水平断面が楕円状の筒体とされる米パック１と形状が異なる。すなわち、当該米パック２１は、垂直断面が略三角形状をしており、米パック上部２２の厚みが薄く、米パック上部２２から米パック下部２３に向けて厚みが増す形状であるという特徴を有している。従って、図に示すように、米パック上部２２の厚みが薄くなっていることから、使用者が米パック２１を掴みやすくなっている。図を用いて、より詳しく説明する。
【００３４】
図５（ａ）は、素手によって、本変形例における一の米パック２１を、連結米パック５から切断分離する作業図である。
素手によって、連結米パック５から一の米パック２１を切断して分離する際には、一の手で分離する一の米パック上部２２を把持し、他方の手で当該一の米パックに隣接して連結されている米パック上部２２を把持して、引き裂く作業をすることとなる。このとき、本変形例によれば、米パック上部２２が掴みやすくなっているので、把持して引き裂くための握力が小さくて済み、作業を容易にすることができる。
【００３５】
図５（ｂ）は、素手によって、本変形例における一の米パック２１を開封する作業図である。
素手によって、米パック２１を開封する際には、米パック開封口１１の上方を一方の手の指二本程度でつまみ、米パック開封口１１の下方辺りを他方の手で把持して、米パック開封線１２に沿って米パック２１を破る作業をすることとなる。このとき、本変形例によれば、米パック上部２２は、米パックの厚みが薄いため、指二本程度でつまみやすくなっており、米パック２１を破る力が小さくて済み、開封作業を容易にすることができる。
【００３６】
このように、本変形例によれば、開封される米パック上部２２の厚みが薄くされていることによって、連結米パック５から米パック２１を分離する作業と、米パック２１を開封する作業との双方における省力化および容易化を図ることができる。
【００３７】
図６は、第２の変形例の合単位米パックの構成を示す斜視図である。
この第２の変形例の合単位米パックは、複数の米パックが、米パック連結部２を介して、連結され、連結米パックという形態となって構成される点で、前記実施の形態における合単位米パックと共通するが、連結米パックがロール芯に巻きつけられた状態とされる点で、前記実施の形態と異なる。以下、本変形例の合単位米パックについて詳説する。
【００３８】
この合単位米パックは、複数の米パック３１と米パック連結部２とからなる連結米パック３５と、連結米パック３５を巻きつけるロール芯３３と、前記ロール芯３３をロール芯両端部で支持するホルダ３２と、切断部３４とから構成される。
【００３９】
米パック３１は、米を合単位で密封して保存する袋状の容器であり、ナイロン等のプラスチックフィルムを材料として形成される点で、前述の米パック１や米パック２１と共通するが、米パック内を真空状態にする点で、米パック１や米パック２１と異なる。
【００４０】
連結米パック３５は、米パック連結部２を介して連結された複数の米パック３１の集合体である。この連結米パック３５は、米パック３１を重畳して、ロール芯３３に巻きつけられ、米パック３１と米パック連結部２とが交互に繰り出されるようになっている。
【００４１】
ロール芯３３は、連結米パック３５を巻きつける芯筒であり、ロール芯３３の両端がホルダ３２によって、回転自在に支持され、米パック３１の繰り出しに応じて、ロール芯３３は回転し、米パック３１を送り出すようになっている。そして、このロール芯３３は、連結パック３５が巻きつけられた状態で回転しても破損しない耐性を有したプラスチック等で形成される。
【００４２】
ホルダ３２は、連結米パック３５が巻きつけられたロール芯３３を、ロール芯３３の両端部において、回転自在に支持するものであり、当該ロール芯を支持するために十分な耐性を有したプラスチック等で形成される。
【００４３】
切断部３４は、米パック連結部２を切断し、一の米パック３１と連結米パック３５とを分離させるものであり、金属やプラスチック等で形成され、鋭利な刃としてホルダ３２の先端部等に備えられる。
【００４４】
このように構成された合単位米パックは、先端の米パック３１が引っ張られると、ロール芯３３が回転し、ロール芯３３に巻きつけられた連結米パック３５から米パック連結部２が送り出される。そして、送り出された米パック連結部２が、上方のホルダ３２に備えられた切断部３４によって、切断されて、米パック３１と連結米パック３５とが分離されることとなる。
【００４５】
このように、本変形例によれば、米パック３１の米パック内を真空状態にすることによって、米パック３１の厚みが圧縮されるので、米パック３１が重畳された連結米パック３５の収納スペースは、嵩張ることなく、小さくて済む。
【００４６】
そして、米パック３１を繰り出し、切断部３４を用いて、米パック連結部２を切断することができるので、米パックの分離に切断具４を使用せずに済む。
【００４７】
さらに、連結米パック３５は、ロール芯に巻きつけられているため、誤って連結された米パックを直列させてしまうおそれがない。
【００４８】
なお、本変形例において、切断部３４を用いて、米パック連結部２を切断することとしているが、切断部３４を用いず、米パック連結部２をミシンカットによる連結として、素手で切断して分離することができるようにしてもよい。
【００４９】
図７は、第３の変形例の合単位米パックの構成を示す斜視図である。
この第３の変形例の合単位米パックは、複数の米パック４１の背面と表面とを貼り合わせて構成される。すなわち、本変形例における合単位米パックは、米パック連結部２を備えず、連結米パックと一の米パックとの分離を、切断による分離ではなく、剥離による点で、前述の実施の形態および変形例と異なる。
【００５０】
米パック４１は、米を合単位で密封して保存する袋状の容器であり、ナイロン等のプラスチックフィルムを材料として形成される点で、前述の米パック１や米パック２１や米パック３１と共通するが、米パック表面４２に、貼付部４４が備えられる点で、米パック１、米パック２１および米パック３１と異なる。ここで、貼付部４４は、米パック表面４２に備えられ、一の米パック４１と他の米パック４１とを貼り合わせる粘着剤が塗布された部分である。
【００５１】
連結米パック４５は、複数の米パック４１が積層されて構成される米パック４１の集合体である。この連結米パック４５は、一の米パック４１の米パック表面４２に、粘着剤が塗布された貼付部４４が備えられ、当該米パック４１に隣接する米パック４１の米パック背面４３に、当該貼付部４４が張り合わされることによって、米パック４１が連結されて、構成される。
【００５２】
このように構成された合単位米パックは、素手によって、一の米パック４１が連結米パック４５から剥離され、使用に供されることとなる。
【００５３】
このように、本変形例によれば、米パック同士の連結に、米パック連結部２を介さないため、米パックの分離に切断具４を使用せずに済み、米パックの分離作業が容易となる。
【００５４】
なお、本変形例において、貼付部４４は、米パック表面４２に設けられているが、米パック背面４３に設けられて、当該米パック４１に隣接する米パック４１の米パック表面４２に、当該貼付部４４が張り合わされることとしてもよく、米パック表面４２および米パック背面４３の両面に設けられて、当該貼付部４４同士が張り合わされることとしてもよい。また、連結米パック４５の両端に位置する米パック表面４２と米パック背面４３との二面は、連結する米パック４１が存在しないため、貼付部４４を設ける必要はない。
【００５５】
図８は、第４〜６の変形例の合単位米パックの構成を示す図である。
図８（ａ）は、第４の変形例の合単位米パックの構成を示す図である。
この第４の変形例の合単位米パックは、複数の異なる品種の米を封入した米パックを連結するものである。例えば、一の米パックに一の品種の米を封入すれば、隣接する他の米パックに他の品種の米を封入して、様々な品種の米を封入した米パックが混在された状態で連結される。このように、本変形例によれば、米の品種が異なると、米の食味も異なることから、合単位で異なる品種の米を封入した各米パックを連結させることによって、食事１回ごとに味の変化を与え、使用者に娯楽を提供することができる。
【００５６】
図８（ｂ）は、第５の変形例の合単位米パックの構成を示す図である。
この第５の変形例の合単位米パックは、幼児や老人のように、１食で１合の米を食さない場合には、米パック一つあたりに０．５合の米を封入するものである。なお、米パック一つあたりに、０．１合刻みで、米を封入してもよく、例えば、１人１食分大盛りとして、１．２合の米を封入してもよい。このように、本変形例によれば、米の消費分量に個人差があるため、合単位で個人に適した様々な分量の封入形態を提供することが可能となる。
【００５７】
図８（ｃ）は、第６の変形例の合単位米パックの構成を示す図である。
この第６の変形例の合単位米パックは、家族構成に応じた米の分量を封入することとしたもの、例えば、３人家族用１食分として、米パック一つあたりに、３合の米を封入するものである。このように、本変形例によれば、家族構成は、種々あるため、合単位で家庭に応じた様々な分量の封入形態を提供することができる。
【００５８】
以上のように、本実施の形態及び変形例に係る合単位米パックは、米を実際に炊く分量である合の単位で封入するため、炊飯時に計量を行なう手間を省くことができ、有用である。
【００５９】
なお、本発明に係る合単位米パックについて、実施形態及び変形例に基づいて説明したが、本発明は、これらに限られるものではない。
すなわち、上記実施形態および変形例では、米パック１の形状が、主に、水平断面が楕円状の筒体となっている合単位米パックについて説明したが、垂直断面が楕円状の筒体となっている合単位米パックであってもよい。
【００６０】
また、上記実施形態および変形例では、米パック内に封入される米は、無洗米を用いることとしたが、米パック内に封入される米の種別は問わない。例えば、市販されている米の多くを占める精白米であってもよく、ビタミンを多く含む米糠を残した米として、自然食を好む消費者にしばしば購入される玄米であってもよい。この場合、精白米は、脱穀乾燥して米糠を取り除いた米であることから、米とぎをして炊飯を行なうこととなる。
【００６１】
【発明の効果】
以上のように、本発明に係る合単位米パックは、米を密封して包み込む米パックであって、米が、合の単位量によって密封保存されていることを特徴とする。これにより、炊飯時に、計量カップ等を用いて計量を行ないながら、米櫃や米袋から米を取り出すという手間を省くことができる。そして、合単位で販売に供されることから、購入者は、何食分を購入するかを、容易に判断することができる。
【００６２】
また、本発明に係る合単位米パックは、前記米パックが複数連ねられ、分離可能な状態に、連結されていることを特徴とする。これにより、従来のキログラム単位で袋詰めされている米と略同じ量の米を購入することができるが、米が、１食分の分量で米パックに封入されているので、米の食味が落ちない保存を可能とする。すなわち、使用者は、１食ごとに米パックを開封して炊飯を行なうことができ、残りの米が外気に触れることなく密封されたままの状態で保存されるので、優れた保存性が得られ、連結された米パックのうち、最後に残された米パックのパック内に封入される米の食味をも落とさないことができる。
【００６３】
例えば、使用者が５キログラムの米を買いたいとする場合には、本発明に係る合単位米パックの１合パックを３０パック購入することで、約５キログラムの米を購入することができる。そして、使用者は、１食ごとに米パックを開封して炊飯を行なえばよく、連結された米パックは、常に密封された状態で保存されるので、３０食目においても、１食目と変わらない食味を楽しむことができる。
【図面の簡単な説明】
【図１】合単位米パックの全体構成を示す図である。
【図２】合単位米パックを構成する一の米パックを示す図である。
【図３】（ａ）は、米パックの切断分離作業と開封作業とを表す図である。
（ｂ）は、米パックを用いた炊飯作業を表す図である。
【図４】第１の変形例に係る米パックを示す図である。
【図５】（ａ）は、米パック２１の切断分離作業を表す図である。
（ｂ）は、米パック２１の開封作業を表す図である。
【図６】第２の変形例に係る合単位米パックを示す図である。
【図７】第３の変形例に係る合単位米パックを示す図である。
【図８】（ａ）は、第４の変形例に係る合単位米パックを示す図である。
（ｂ）は、第５の変形例に係る合単位米パックを示す図である。
（ｃ）は、第６の変形例に係る合単位米パックを示す図である。
【符号の説明】
１、２１、３１、４１　米パック
２　米パック連結部
３　連結米パック分離線
４　切断具
５、３５、４５　連結米パック
１１　米パック開封口
１２　米パック開封線
１３　米パック残数表示
１４　米
１５　窒素ガス
１６　炊飯器
２２　米パック上部
２３　米パック下部
３２　ホルダ
３３　ロール芯
３４　切断部
４２　米パック表面
４３　米パック背面
４４　貼付部
【図１】
2004065211.tif 000003
【図２】
2004065211.tif 000004
【図３】
2004065211.tif 000005
【図４】
2004065211.tif 000006
【図５】
2004065211.tif 000007
【図６】
2004065211.tif 000008
【図７】
2004065211.tif 000009
【図８】
2004065211.tif 000010